(57)【要約】      （修正有）【課題】ストローボックスを備えた商品取出口を対象に、大形商品の連続販売時における商品の取り出しに対応させつつ、併せて小形サイズの商品販売時に商品取出口に搬出された商品がストローボックスの下に潜り込んで外部から視認できなくなる販売トラブルを防ぐ。【解決手段】自動販売機の商品取出口５で、中扉の商品搬出口９を通じて払出した商品を受け止める箱形トレー６の上位前面に商品取出扉７を配し、かつ取出口内部に防盗仕切枠を兼ねるストローボックス１２を備えた構造になるものにおいて、ストローボックス１２をトレー６の底面から上方に離間した位置に設置した上で、ストローボックスの底面と対峙するトレー底面の面域に、左右になだらかなスロープを呈した隆起部１６を凸状台座６ａとクッションマット１５とにより形成し、かつ該隆起部の頂部とストローボックスの底面との間に大形サイズ商品１１の通り抜け可能な間隔ｈを確保する。【選択図】図１
2006164104.tif 000002
【特許請求の範囲】
【請求項１】
本体外扉の下部に配備して庫内の商品収納ラックより払出した商品を取り出す自動販売機の商品取出口であって、庫内の商品収納ラックから中扉の商品搬出口を通じて前方に払出した商品を受け止める箱形トレーの上位前面に商品取出扉を配し、かつ取出口の内部に防盗仕切枠を兼ねるストローボックスを備えた構造になるものにおいて、
前記のストローボックスをトレーの底面から上方に離間した位置に設置した上で、ストローボックスの底面と対峙するトレー底面の面域に左右に向けスロープを呈した隆起部を形成し、該隆起部の頂部とストローボックスの底面との間に大形サイズ商品の通り抜けが可能な間隔を確保したことを特徴とする自動販売機の商品取出口。
【請求項２】
請求項１記載の商品取出口において、トレーの底面に凸状の台座を設けた上で、その上にクッションマットを敷設して隆起部を形成したことを特徴とする自動販売機の商品取出口。
【発明の詳細な説明】
【技術分野】
【０００１】
本発明は、缶，びん，ペットボトル，ペーパーパック入りなどの各種商品を併売する自動販売機の商品取出口に関し、特に取出口内部にストロー（サプライ品）を入れておくストローボックスを備えた商品取出口の構造に係わる。
【背景技術】
【０００２】
まず、頭記した自動販売機全体の外観図を図３に示す。図において、１は庫内に商品収納ラックを収設した自動販売機の本体キャビネット、２は外扉、３は商品見本を陳列したディスプレイ室、４は商品選択ボタン、５は外扉２の下部に配備した商品取出口である。かかる自動販売機の販売動作は周知の通りであり、販売指令により庫内の商品収納ラックから払出した商品は、商品搬出シュータ（もしくは搬出コンベヤ）を経て図示の商品取出口５に取り出される。
また、前記の自動販売機において、ペーパーバック入り商品などの飲食に使用するストローなどのサプライ品を入れておくボックスを商品取出口の内部に設けた構成のものが従来から知られている（例えば、特許文献１参照）。
次に、前記した商品取出口５の従来構造を図４（ａ），（ｂ）に示す。すなわち、商品取出口５は箱形のトレー６と、その上位前面に設けたフラッパ形の商品取出扉７と、その背後に配した防盗フラッパ８との組立体からなり、商品取出口５の背後には中扉に開口したフラッパ９ａ付きの商品搬出口９が左右に並んで開口し、この商品搬出口に向けて本体キャビネット１の庫内側には商品搬出シュータ１０（ないしは搬出コンベヤ）が敷設されている。
【０００３】
この構成で、販売指令に基づき商品収納ラック（図示せず）から払出した商品１１（図示の商品はペットボトル入り商品）は、商品搬出シュータ１０の傾斜面を転動して商品搬出口９のフラッパ９ａを押し開き、そのまま商品取出口５の中に転がり落ちてトレー６に受け止められる。ここで、購入客が商品取出口５に搬出された商品１１を取り出すには、商品取出扉７を手前に開き、トレー６の中に入っている商品を確かめた上で商品取出口に手を差し入れて掴み出す。
また、商品取出口５の内部にはストロー１３（サプライ品）を入れておくストローボックス１２を備えている。このストローボックス１２は、防盗用仕切枠（商品取出口５の中に腕を横向きに差し入れ、防盗フラッパ８の裏側から商品搬出口９のフラッパ９ａを手先で開いて庫内から商品を不正に盗み出す手口の盗難行為を防ぐ）の機能を持たせるために、左右に並んで商品取出口５の背後に開口している商品搬出口９の中間位置に設置して商品取出口５の内部空間を左右に仕切るようにボルト１４で固定し、このストローボックス１２にストロー１３をいれて商品購入者に提供するようにしている。なお、１５はトレー６の底面に敷設して商品１１の落下衝撃を緩和するためのクッションマットである。
【特許文献１】特開平９−１０２０７０号公報
【発明の開示】
【発明が解決しようとする課題】
【０００４】
ところで、図４に示した従来構造の商品取出口を備えた自動販売機では、商品１１（例えば内容量５００ｍｌの大形ペットボトル商品）を連続販売（複数本の商品を連続して購入する）すると、図４（ｂ）で示すように庫内の商品収納ラックから次々に搬出された商品１１が前記のストローボックス１２に堰止められて商品取出口５の片側空間に溜まり、連続販売の販売本数が多い場合には商品取出口５の中に収まりきれずに後続の販売商品が搬出不能（搬出した商品に阻害されて商品搬出口９のフラッパ９ａが開かなくなる）となる販売トラブルを引き起こすことがある。また、このような状態になると防盗フラッパ８が商品に干渉して押し込めず、商品取出扉７を開いても内部から商品が取り出せなくなることがある。
そこで、このような販売トラブルを回避するために、ストローボックス１２をトレー６の底面より上方に離間した位置に設置してトレー６の底壁とストローボックス１２の底面との間に大形サイズの商品（例えば内容量５００ｍｌのペットボトル商品）が通り抜けが可能な空間を確保しておき、連続販売により商品取出口の片側空間が満杯の状態になった場合には、商品が商品取出口５の商品取出扉７を開いてストローボックス１２の左側に空いている空間から手を差し入れ、ストローボックス１２の下側空間を通じて右側の空間に滞留している商品１１を引き出せるようにした対策を一部の自動販売機に採用して実施している。
【０００５】
しかしながら、前記のようにストローボックス１２をトレー６の底面から上方に離間して設置した商品取出口の構成では、次記のような販売トラブルが新たに発生することが知見されている。すなわち、自動販売機の販売する各種商品のうち、小形商品（例えば、内容量６５ｍｌの乳酸菌飲料）を販売すると、商品取出口５の中に放出された商品がトレー６の底面を転がってストローボックス１２の下に潜り込むことがある。このような状態になると、客は商品取出扉７を開いても自分の購入した商品がストローボックス１２の下に隠れて視認できず、商品が正常に販売されなかったと勘違いするおそれがある。
そこで、本発明の目的は前記課題を解決して、大形商品の連続販売時における商品の取り出しにも対応させつつ、併せて小形サイズの商品販売時に商品取出口に搬出された商品がストローボックスの下に潜り込むのを防いで販売された小形商品を確実に視認できるように改良した自動販売機の商品取出口を提供することにある。
【課題を解決するための手段】
【０００６】
上記目的を達成するために、本発明によれば、本体外扉の下部に配備して庫内の商品収納ラックより払出した商品を取り出す自動販売機の商品取出口で、庫内の商品収納ラックから中扉の商品搬出口を通じて前方に払出した商品を受け止める箱形トレーの上位前面に商品取出扉を配し、かつ取出口の内部に防盗仕切枠を兼ねるストローボックスを備えた構造になるものにおいて、
前記のストローボックスをトレーの底面から上方に離間した位置に設置した上で、ストローボックスの底面と対峙するトレー底面の面域に左右に向けスロープを呈した隆起部を形成し、該隆起部の頂部とストローボックスの底面との間に大形サイズ商品の通り抜けが可能な間隔を確保するように構成するものとし（請求項１）、具体的には商品取出口のトレー底面に凸状の台座を設けた上で、その上にクッションマットを敷設して前記したスロープ状の隆起部を形成するようにする（請求項２）。
【発明の効果】
【０００７】
上記構成によれば、大形サイズ商品の連続販売時に庫内から商品取出口に次々に搬出された商品がトレー上の空間に収まりきれなくなった場合でも、ストローボックスで仕切られた隣の空き空間から手を差し入れ、ストローボックスの下の空間を通じて商品を引き出すことができる。
また、ストローボックスの下方に対峙するトレーの底面に隆起部を形成しておくことにより、商品取出口に搬出された小形サイズの商品は前記の隆起部のスロープに阻まれてストローボックスの下面に潜り込んだままこの位置に停滞することがなく、これにより購入客は商品取出口に搬出された商品を確実に視認して取り出すことができて不測な販売トラブルの発生が防げる。
【発明を実施するための最良の形態】
【０００８】
以下、本発明の実施の形態を図１および図２に示す実施例に基づいて説明する。なお、図中で図４に対応する部材には同じ符号を付してその詳細な説明は省略する。
すなわち、商品取出口５は図４に示した従来構造と基本的に同様であるが、商品取出口５の内部に配備したストローボックス１２が、トレー６の底面から上方に離間した位置に設置して固定されており、さらにトレー６の底面には、前記ストローボックス１２の底面に対峙する直下の面域に左右に向けてなだらかなスロープを呈する山形の隆起部１６が次のよう手段で形成されている。すなわち、トレー６の底壁上には断面形状が三角になる屋根形の凸状台座（板金品）６ａを溶接接合した上で、この台座６ａを覆ってトレー６の底面全域にクッションマット１５を敷設する。これにより、ストローボックス１２の直下面域にはクッションマット１５が山状に隆起して左右にスロープを形成する。また、前記隆起部１６の頂部とストローボックス１２の底面との間に、大形サイズの商品１１（例えば、内容量５００ｍｌのペットボトル商品で、その外径はφ６０mm）が通り抜け可能な間隔ｈを確保するようにストローボックス１２の取付け高さを設定しておくものとする。
【０００９】
次に、大形商品の連続販売時と小形商品の販売時とに分けて、前記構成の商品取出口による商品の取り出し機能を図２（ａ），（ｂ）で説明する。
まず、図２（ａ）で示すように、大形のペットボトル商品の連続販売に伴い右側の商品搬出口９を通じて次々に庫内より商品取出口５に搬出された商品１１が滞留してストローボックス１２の右側空間が満杯になって商品が取り出さなくなった場合には、商品取出扉７を開いてストローボックス１２の左側の空き空間から手を差し入れ、ストローボックス１２の下側空間を通して図示矢印（→）のように商品１１を左側空間に一本ずつ引き出して取り出すことができ、これにより先記した連続販売に伴う販売トラブルを解消できる。
一方、先記した小形サイズの商品（例えば、内容量６５ｍｌの乳酸菌飲料）の販売時には、図２（ｂ）で示すように商品取出口５の中に放出された商品１１ａがストローボックス１２の下に潜り込んだとしても、商品１１ａは潜り込んだ位置にそのまま停止することはなく、図示矢印のように隆起部１６のスロープを転動してストローボックス１２の側方に転がり出る。したがって、販売動作後に商品取出扉７を開くことにより、購入者は自分が購入した商品１１ａの停止位置を視認して取り出すことができて、商品がストローボックス下への潜り込んで視認できなくなるといった販売トラブルが防げる。
【図面の簡単な説明】
【００１０】
【図１】本発明の実施例による商品取出口の構成図で、（ａ）は商品取出口全体の側視断面図、（ｂ）は（ａ）における矢視Ｘ−Ｘ断面図
【図２】図１の構成による商品取り出し機能の説明図で、（ａ）は大形商品の連続販売，（ｂ）は小形商品の販売時における状態を表す図
【図３】自動販売機全体の外観図
【図４】従来における商品取出口の構成図で、（ａ）は側視断面図、（ｂ）は大形商品の連続販売により商品が滞留した状態を模式的に表した商品取出口の正面図
【符号の説明】
【００１１】
１    自動販売機の本体キャビネット
２    外扉
５    商品取出口
６    トレー
６ａ  凸状台座
７    商品取出扉
１０    商品搬出シュータ
１１    商品
１２    ストローボックス
１５    クッションマット
１６    隆起部
【図１】
2006164104.tif 000003
【図２】
2006164104.tif 000004
【図３】
2006164104.tif 000005
【図４】
2006164104.tif 000006